(57)【要約】【課題】フラッシュメモリへの書き込み回数をユーザーが管理する必要がなく、書き込み限度回数を超えた書き込みを防止することを目的とする。【解決手段】電極群を配置した一対の基板を基板間に放電空間が形成されるように対向配置したパネルを有するプラズマディスプレイ装置の制御部にプログラムを書き込む通信制御装置において、フラッシュメモリへのプログラム書き込み回数及び書き込み限界回数を記憶した書き込みカウンタ部２３と、この書き込みカウンタ部２３からの情報に基づき前記フラッシュメモリへの書き込み回数が書き込み限界回数を超えた場合、書き込みを行なわない機能を備えた書き込み制御部２４とを備えたことにより、フラッシュメモリへの書き込み回数をユーザーが管理する必要がなく、書き込み限度回数を超えた書き込みを防止することができる。【選択図】  図１
2004184944.tif 000002
【特許請求の範囲】
【請求項１】
電極群を配置した一対の基板を基板間に放電空間が形成されるように対向配置したパネルを有するプラズマディスプレイ装置の制御部にプログラムを書き込む通信制御装置において、パーソナルコンピュータからソフトウエアプログラムを受信するデータ受信部と、このデータ受信部で受信したソフトウエアプログラムをフラッシュメモリに書き込むデータ書き込み部と、前記フラッシュメモリへのプログラム書き込み回数及び書き込み限界回数を記憶した書き込みカウンタ部と、この書き込みカウンタ部からの情報に基づき前記フラッシュメモリへの書き込み回数が書き込み限界回数を超えた場合、書き込みを行なわない機能を備えた書き込み制御部とを備えたことを特徴とするプラズマディスプレイ装置の通信制御装置。
【請求項２】
書き込みカウンタ部に不揮発性メモリを用いたことを特徴とする請求項１記載のプラズマディスプレイ装置の通信制御装置。
【発明の詳細な説明】
【０００１】
【発明の属する技術分野】
本発明は、大画面で、薄型、軽量のディスプレイ装置として知られているプラズマディスプレイ装置の制御部プログラムを書き込む通信制御装置に関するものである。
【０００２】
【従来の技術】
一般に、プラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
図２にプラズマディスプレイ装置におけるパネルの構造を示している。図２に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図３にこのプラズマディスプレイパネルの電極配列を示している。図３に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このようなプラズマディスプレイ装置においては、上記で説明したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【００１０】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【００１１】
【特許文献１】
特許第２８０７６７２号公報
【００１２】
【発明が解決しようとする課題】
このようなプラズマディスプレイ装置においても、各種の動作制御を行うために制御部にマイクロコンピュータ（以下、マイコンという）が使用されており、またマイコンソフトウエアのメモリとして、早期の新製品開発のためにフラッシュメモリが使用される。その際、フラッシュメモリへのソフトウエアプログラムの書き込み方法として、図４に示すように、汎用のインターフェースを介し、パーソナルコンピュータ（以下、ＰＣという）を用いて書き込むシステムが用いられている。なお、図４において、ＰＣよりシリアル通信にてソフトウエアプログラムを受信するデータ受信部１１と、受信したソフトウエアプログラムをフラッシュメモリに書き込むデータ書き込み部１２とで構成されている。
【００１３】
ところで、フラッシュメモリにはデータを正常に書き込むことができる回数に限度がある。しかしながら上記の従来の構成では、ユーザーが正常に書き込みができる限度回数を認識し、フラッシュメモリへの書き込み回数を管理しておかなければならず、ユーザーの管理不足により書き込み限度回数を超えてフラッシュメモリへの書き込みを行う場合があり、フラッシュメモリが使用できなくなる恐れがある。
【００１４】
本発明は上記従来の問題点を解決するもので、フラッシュメモリへの書き込み回数をユーザーが管理する必要がなく、書き込み限度回数を超えた書き込みを防止することを目的とする。
【００１５】
【課題を解決するための手段】
上記目的を達成するために本発明は、電極群を配置した一対の基板を基板間に放電空間が形成されるように対向配置したパネルを有するプラズマディスプレイ装置の制御部にプログラムを書き込む通信制御装置において、フラッシュメモリへのプログラム書き込み回数及び書き込み限界回数を記憶した書き込みカウンタ部と、この書き込みカウンタ部からの情報に基づき前記フラッシュメモリへの書き込み回数が書き込み限界回数を超えた場合、書き込みを行なわない機能を備えた書き込み制御部とを備えたものである。
【００１６】
【発明の実施の形態】
すなわち、本発明の請求項１に記載の発明は、電極群を配置した一対の基板を基板間に放電空間が形成されるように対向配置したパネルを有するプラズマディスプレイ装置の制御部にプログラムを書き込む通信制御装置において、ＰＣからソフトウエアプログラムを受信するデータ受信部と、このデータ受信部で受信したソフトウエアプログラムをフラッシュメモリに書き込むデータ書き込み部と、前記フラッシュメモリへのプログラム書き込み回数及び書き込み限界回数を記憶した書き込みカウンタ部と、この書き込みカウンタ部からの情報に基づき前記フラッシュメモリへの書き込み回数が書き込み限界回数を超えた場合、書き込みを行なわない機能を備えた書き込み制御部とを備えたことを特徴とする。
【００１７】
また、請求項２に記載の発明は、請求項１において、書き込みカウンタ部に不揮発性メモリを用いたことを特徴とする。
【００１８】
さらに、本発明において、ＰＣから調歩同期式（ＵＡＲＴ）通信によるシリアル通信にてソフトウエアプログラムをデータ受信部に送るように構成し、またソフトウエアプログラムの書き込み実行の可否を表示できる表示部として、ディスプレイ装置もしくはＬＥＤ（発光ダイオード）を用いるものである。
【００１９】
以下、本発明の一実施の形態によるプラズマディスプレイ装置の通信制御装置ついて、図１を用いて説明する。
【００２０】
図１は本発明の一実施の形態による通信制御装置のブロック図を示すものであり、ＰＣよりシリアル通信にてソフトウエアプログラムデータを受信するデータ受信部２１、受信したソフトウエアプログラムデータをフラッシュメモリに書き込むデータ書き込み部２２、フラッシュメモリへのプログラム書き込み回数及び書き込み限界回数を記憶した書き込みカウンタ部２３、フラッシュメモリへの書き込み回数が書き込み限界回数を超えた場合に書き込みを行なわない機能を備えた書き込み制御部２４、ソフトウエアプログラムの書き込み実行の可否を表示できる表示部２５で構成されている。
【００２１】
以上のように構成された通信制御装置について、図１を用いてその動作を説明する。まず、データ受信部２１は、ＰＣよりシリアル通信である調歩同期式（ＵＡＲＴ）通信によってフラッシュメモリへのソフトウエアプログラムデータの書き込み開始コマンドを受信する。次に、データ受信部２１は、ＰＣよりソフトウエアプログラムデータの書き込み開始コマンドを受信すると、ソフトウエアプログラムデータの書き込み開始信号を書き込み制御部２４へ送信する。
【００２２】
書き込み制御部２４は、データ受信部２１より書き込み開始信号を受信すると、不揮発性メモリを用いた書き込みカウンタ部２３よりフラッシュメモリ書き込み回数及びフラッシュメモリ書き込み限度回数を読み出し、書き込み回数が書き込み限度回数未満ならば、データ受信部２１、データ書き込み部２２及び表示部２５に書き込み許可信号を送信し、書き込み回数が書き込み限度回数以上なら、データ受信部２１、データ書き込み部２２及び表示部２５に書き込み不可信号を送信する。
【００２３】
データ受信部２１、データ書き込み部２２及び表示部２５が書き込み制御部２４より書き込み許可信号を受信した場合、データ書き込み部２２は、ソフトウエアプログラムデータ受信待ち状態になり、データ受信部２１は、ＰＣに対し、ソフトウエアプログラムデータの送信開始要求コマンドを送信し、表示部２５はディスプレイ装置やＬＥＤを用いてソフトウエアプログラムの書き込みが開始したことをユーザーに知らせる。
【００２４】
ＰＣがデータ受信部２１よりソフトウエアプログラムデータの送信開始要求コマンドを受信すると、ソフトウエアプログラムデータをデータ受信部２１へ送信する。データ受信部２１は、ソフトウエアプログラムデータを受信すると、データ書き込み部２２へソフトウエアプログラムデータを送信し、データ書き込み部２２がソフトウエアプログラムデータを受信すると、フラッシュメモリもしくはフラッシュメモリ内蔵マイコンへソフトウエアプログラムデータの書き込みを行ない、すべてのソフトウエアプログラムデータを書き込み終えると、書き込み制御部２４へ書き込み完了信号を送信する。
【００２５】
書き込み制御部２４は、データ書き込み部２２より書き込み完了信号を受信すると、書き込み回数をインクリメントした値を書き込みカウンタ部２３へ書き込み、表示部２５に書き込み完了信号を送信する。表示部２５は書き込み制御部２４より書き込み完了信号を受信すると、書き込みが完了したことをディスプレイ装置もしくはＬＥＤを用いてユーザーに知らせる。
【００２６】
また、上述のように、データ受信部２１、データ書き込み部２２及び表示部２５が書き込み制御部２４より書き込み不可信号を受信した場合、データ書き込み部２２はフラッシュメモリもしくはフラッシュメモリ内蔵マイコンへのソフトウエアプログラムデータの書き込み機能を停止し、データ受信部２１はＰＣに対して、ソフトウエアプログラムデータの書き込み停止コマンドを送信し、書き込み動作を停止させる。表示部２５は書き込み回数が書き込み限度回数以上であるために、書き込みを行なわないことをディスプレイやＬＥＤを用いてユーザーに知らせる。
【００２７】
これにより、フラッシュメモリへの書き込み回数をユーザーが管理する必要がなく、書き込み限度回数を超えた書き込みを防止し、書き込み限度回数を超えた場合はユーザーが知ることができる。
【００２８】
【発明の効果】
以上のように本発明によれば、プラズマディスプレイ装置の制御部プログラムを書き込む通信制御装置において、フラッシュメモリへの書き込み回数をユーザーが管理する必要がなく、書き込み限度回数を超えた書き込みを防止し、書き込み限度回数を超えた場合はユーザーが知ることができるという優れた効果が得られる。
【図面の簡単な説明】
【図１】本発明の一実施の形態におけるプラズマディスプレイ装置の通信制御装置のブロック図
【図２】プラズマディスプレイパネルの一例を示す斜視図
【図３】同パネルの電極の配線図
【図４】従来の通信制御装置のブロック図
【符号の説明】
２１  データ受信部
２２  データ書き込み部
２３  書き込みカウンタ部
２４  書き込み制御部
２５  表示部
【図１】
2004184944.tif 000003
【図２】
2004184944.tif 000004
【図３】
2004184944.tif 000005
【図４】
2004184944.tif 000006